(57)【要約】【課題】検針値を確認するための画面数が少なく、検針員の作業効率が向上する電子式電力量計および可搬型データ収集装置と、そのデータ処理に用いるデータ処理装置を得る。【解決手段】電子式電力量計１を、電力量データを得る計量手段と、その電力量データを符号化により圧縮し、電力量圧縮値を得る制御手段と、電力量データを表示する表示手段とによって構成する。電子式電力量計１の液晶表示器（表示手段）２において、１０進数で電力量データを表示する通常画面（ａ）〜（ｆ）と、複数の電力量圧縮値を一画面上に表示する圧縮値画面（ｇ）を切り換え表示するように構成する。【選択図】        図２
2005003551.tif 000002
【特許請求の範囲】
【請求項１】
複数の計量時間帯毎に電力量を計量し、電力量データを得る計量手段、上記電力量データを符号化により圧縮し、電力量圧縮値を得る制御手段、上記電力量データを１０進数による数値で表示する通常画面と、上記電力量圧縮値を表示する圧縮値画面とを切り換え表示する表示手段を備えた電子式電力量計。
【請求項２】
上記圧縮値画面では、複数の上記電力量圧縮値が一つの画面上に表示されることを特徴とする請求項１記載の電子式電力量計。
【請求項３】
上記制御手段において、電力量計または需要家を識別する識別番号を符号化により圧縮し、識別番号圧縮値を得、上記表示手段において、上記識別番号圧縮値を表示することを特徴とする請求項１記載の電子式電力量計。
【請求項４】
上記圧縮値画面では、複数の上記電力量圧縮値と、上記識別番号圧縮値が、一つの画面上に表示されることを特徴とする請求項３記載の電子式電力量計。
【請求項５】
上記電子式電力量計の外部から任意に入力操作することが可能な外部入力手段を備え、上記外部入力手段から入力があった場合に、上記圧縮値画面を表示することを特徴とする請求項１、請求項２、請求項４のいずれか一項記載の電子式電力量計。
【請求項６】
上記外部入力手段は、操作スイッチ、磁気スイッチ、光スイッチのいずれかによって構成されることを特徴とする請求項５記載の電子式電力量計。
【請求項７】
上記電力量圧縮値または上記識別番号圧縮値は、アラビア数字と英文字アルファベットを表記に含む６２進数による数値であることを特徴とする請求項１〜４のいずれか一項記載の電子式電力量計。
【請求項８】
上記電力量圧縮値または上記識別番号圧縮値は、バーコードを用いて表示することを特徴とする請求項１〜４のいずれか一項記載の電子式電力量計。
【請求項９】
上記表示手段は、セグメント表示の液晶表示装置により構成され、上記電力量圧縮値または上記識別番号圧縮値を、上記液晶表示装置の特定のセグメントを選択的に発光させることで記号化して表示することを特徴とする請求項１〜４のいずれか一項記載の電子式電力量計。
【請求項１０】
複数の計量時間帯毎に電力量を計量し、電力量データを得る計量手段、上記電力量データを符号化により圧縮し、電力量圧縮値を得る制御手段、上記電力量圧縮値を表示する表示手段を備えた電子式電力量計。
【請求項１１】
上記電力量圧縮値を入力する入力手段を備えた、請求項１または請求項１０記載の電子式電力量計の検針に用いる可搬型データ収集装置。
【請求項１２】
入力した上記電力量圧縮値をデコードし、上記電力量データを得るデコード手段を備えた請求項１１記載の可搬型データ収集装置。
【請求項１３】
上記電力量データを１０進数による数値を用いて帳票に出力する帳票出力手段を備えた請求項１２記載の可搬型データ収集装置。
【請求項１４】
有線あるいは無線通信を用い、上記電力量圧縮値を送受信するデータ通信手段を備えたことを特徴とする請求項１１記載の可搬型データ収集装置。
【請求項１５】
上記可搬型データ収集装置として、携帯電話を用いることを特徴とする請求項１４記載の可搬型データ収集装置。
【請求項１６】
請求項１４または請求項１５記載の上記可搬型データ収集装置から送信された上記電力量圧縮値を入力し、その電力量圧縮値をデコードするデコード手段を備えたデータ処理装置。
【発明の詳細な説明】
【０００１】
【発明の属する技術分野】
この発明は、複数の計量時間帯、例えば夜間と昼間、６時間毎などの時間帯に基づいて電力使用量を測定して表示を行う電子式電力量計と、検針員が電子式電力量計の検針に使用する可搬型データ収集装置と、電子式電力量計と可搬型データ収集装置に組み合わせて用いる、符号化した電力量データを復号することが可能なデータ処理装置に関するものである。
【０００２】
【従来の技術】
従来の電子式電力量計では、電力量の表示は、同一表示器に時間帯毎に一定周期（例えば３０秒間隔。）で逐次サイクリックに表示されていた（例えば、特許文献１参照。）。
【０００３】
【特許文献１】
特開２００１−３３７１１７号公報
【０００４】
【発明が解決しようとする課題】
従来の電子式電力量計では、複数の電力量などの指示値を同一表示器に表示する方法として、画面をサイクリックさせることにより表示しているため、全ての指示値の情報を読み取るためには、電力量計が一連のサイクリック表示を完了するまで、複数の画面を確認する必要があり、検針員の電力量の読み取りに時間を要し、指示値の収集効率が悪いという課題があった。この課題は、昨今、きめ細かな時間帯の計量が求められるようになってより顕著となってきている。
【０００５】
この発明は、上述のような課題を解決するためになされたもので、検針時に、指示値を確認する画面数が少なく、検針員の作業効率がよい電子式電力量計を得ること、その電子式電力量計による検針時に用いる可搬型データ収集装置を得ること、さらに、その電子式電力量計と可搬型データ収集装置を用いて収集した電力量データに対してデコード等の処理を行うデータ処理装置を提供することを目的とする。
【０００６】
【課題を解決するための手段】
この発明に係る電子式電力量計は、複数の計量時間帯毎に電力量を計量し、電力量データを得る計量手段、上記電力量データを符号化により圧縮し、電力量圧縮値を得る制御手段、上記電力量データを１０進数による数値で表示する通常画面と、上記電力量圧縮値を表示する圧縮値画面とを切り換え表示する表示手段を備えたものである。
【０００７】
また、この発明に係る電子式電力量計は、複数の計量時間帯毎に電力量を計量し、電力量データを得る計量手段、上記電力量データを符号化により圧縮し、電力量圧縮値を得る制御手段、上記電力量圧縮値を表示する表示手段を備えたものである。
【０００８】
さらに、この発明に係る可搬型データ収集装置は、上記のような電子式電力量計の検針に用いるものであり、上記電子式電力量計において得られる上記電力量圧縮値を入力する入力手段を備えたものである。
【０００９】
また、この発明に係るデータ処理装置は、上記のような可搬型データ収集装置から送信された上記電力量圧縮値を入力し、その電力量圧縮値をデコードするデコード手段を備えたものである。
【００１０】
【発明の実施の形態】
実施の形態１．
図１は、この発明の実施の形態１における電子式電力量計を示す正面図である。図１において、電子式電力量計１は、図示しない電力演算部分および制御部分において、使用した電力の計量を行い、電力量データを得（計量手段に相当する。）、液晶表示器（表示手段に相当する。）２にその電力量データが１０進数で表示される。液晶表示器２の表示画面を切り換える時、また計量モードの切り換え時に操作するスイッチ（外部入力手段の一つであり、操作スイッチに相当する。例えば押しボタン式のスイッチ。）３は、配電線（電力線）が接続される端子ブロック４の前面に設けられている。図２は、液晶表示器２にサイクリック表示される画面のフロー図である。図３は確定値（電力量データ）を１０進数で表示する確定値画面を示している。図４は、複数の電力量データや、計器内に格納されている他のデータなどを圧縮して表示した時の液晶表示画面、すなわち圧縮値画面を示している。
【００１１】
電子式電力量計１は、通常時には、図２（ａ）〜（ｆ）で示される通常フローによるサイクリック表示がなされる。通常フローでは、液晶表示器２に表示される画面は、（ａ）→（ｂ）→（ｃ）→（ｄ）→（ｅ）→（ｆ）→（ａ）のように遷移する。画面（ａ）〜（ｃ）は、現在の電子式電力量計の指示値（電力量データの一つである。）を１０進数で表示する現在値画面であり、それぞれ異なる時間帯１〜３における指示値を示している。また、画面（ｄ）〜（ｆ）は、予め決められた時点（例えば検針予定日。）の画面（ａ）〜（ｃ）の指示値を確定値（電力量データの一つである。）として１０進数で表示する確定値画面である。この確定値画面があるため検針員による実際の検針日（目視する日。）が、予定の検針日以降となった場合でも、検針日の電力量データを得ることができる。１０進数で表示される現在値画面および確定値画面（画面（ａ）〜（ｆ））は通常画面に相当する。
【００１２】
通常画面のサイクリック中に、スイッチ３を押下した場合（図２中、Ｓ１。）、画面（ｆ）から圧縮値を表示する画面（ｇ）へ遷移し、所定の表示時間の経過を経て、通常画面の最初の画面である画面（ａ）へ遷移する圧縮値画面を含むフローに切り換わる。この、圧縮値画面を含むフローでは、液晶表示器２に、電力量を１０進数で表示する通常画面と、電力量圧縮値で表示する圧縮値画面とを切り換え表示する。
画面（ｇ）は、画面（ｄ）〜（ｆ）に表示される複数の確定値を圧縮し、その複数の電力量圧縮値を１画面に表示する圧縮値画面である。
【００１３】
通常画面（ａ）〜（ｆ）に示される現在値、確定値などの、１０進数による電力量データは、電子式電力量計１に内蔵される、図示しないマイクロコンピュータなどよりなる制御部分（制御手段に相当する。）において、記憶制御される。この制御部分において、１０進数の電力量データは、符号化され、圧縮される。具体的には、例えば６２進数に変換され、電力量圧縮値が得られる。また、この制御部分は、電力量データの圧縮処理の他、電力の計量、表示制御、時計などの機能を有している。
【００１４】
図３に確定値画面の例として、時間帯１の画面（ｄ）を示し、表示内容を説明する。液晶表示器２内の表示部５ｄは、表示している指示値の項目として、時間帯を表す番号を表示する部分であり、２桁の数字を表示できる。表示部６ｄは、表示している指示値のデータを記憶した時の月日を表示する部分であり、月を２桁、日を２桁として計４桁の数字を表示できる。表示部７ｄは、電力量の指示値を表示する部分であり、６桁の数字を表示できる。表示項目、月日、指示値は、通常画面である画面（ｄ）では１０進数で表示されている。
【００１５】
次に、図４に画面（ｇ）で表示する圧縮値画面の例を示し、電力量データの圧縮方法について、説明する。図４の表示部５ｇ、表示部６ｇ、表示部７ｇは、アラビア数字０〜９（１０文字）、英文字アルファベット大文字Ａ〜Ｚ（２６文字）、小文字ａ〜ｚ（２６文字）の６２文字による６２進数で表示される。画面（ｄ）〜（ｆ）の指示値は６桁であり、１０進数で表示可能となる最大値は９９９９９９である。６２進数４桁の最大値は１４７７６３３６であり、１０進数６桁の数字を６２進数では４桁で表示することができる。
【００１６】
図５に、１０進数の指示値を６２進数の圧縮値に変換する変換例を示す。
画面（ｄ）の指示値が００００．６３、画面（ｅ）の指示値が００３８．４４、画面（ｆ）の指示値が２３８３．９２であるとき、これらの指示値から小数点を除き、６２進数に変換すると各々、００１１、０１００、１０１２となる。この６２進数の変換値を連続した１２桁の数値として００１１０１００１０１２として、液晶表示器２に左上から右上へ、さらに左下から右下へ、順に並べて表示したものが図４に示す圧縮値画面（ｇ）である。このように、３つの指示値を、圧縮値画面一画面で表示することができる。
【００１７】
圧縮値画面（ｇ）表示ありのサイクリック中に、スイッチ３を再度押下すると（図２中、Ｓ２。）、画面のフローは画面（ｆ）から画面（ａ）へ遷移する通常のフローに戻る。
なお、圧縮値画面を含むフローから通常画面のみのフローへの切り換えは、スイッチ３を再度押下するという方法以外に、あらかじめ圧縮値画面の表示時間を決めておき、例えば数十秒の自動的に通常フローに戻るように制御することで、検針員によるスイッチ操作が、より簡便になる。
【００１８】
また、上述した例では、通常画面のフローから、圧縮値画面を含むフローに切り換える際に、通常フローの最終画面である画面（ｆ）の次の画面として圧縮値画面（ｇ）を表示するという例を示したが、スイッチ３を押下した時の表示画面が、通常フローの途中である場合、例えば画面（ａ）である場合に、画面（ｂ）〜（ｆ）の表示を待たずに、画面（ａ）から直接、圧縮値画面（ｇ）に遷移するように制御することで、検針作業に要する時間をより短縮することができることは言うまでもない。
【００１９】
このように構成された電子式電力量計においては、複数の画面に表示される１０進数の指示値を６２進数に圧縮することで、１つの画面に表示することができる。このため、検針員は、圧縮値画面一画面を確認することで、複数の電力量データを一度に読み取ることができ、データ収集を効率良く行うことが可能となる。
【００２０】
また、画面（ｄ）〜（ｆ）の指示値から小数点を除き、連続した１８桁の数値としてから、６２進数に変換することで、変換後の桁数を圧縮できるため、より多くの情報を表示することができる。つまり、１０進数６桁の最大値９９９９９９を３画面分連続した数値９９９９９９９９９９９９９９９９９９としてから、６２進数に変換すると１１桁で表示できる。従って、液晶表示器２の画面が１２文字分の表示を可能とする場合では、１桁余分に表示でき、そのスペースに別の情報として、例えば小数点位置や計器の定格などの情報を表示することが可能となる。
【００２１】
指示値を変換する進数は、６２進以外でも良い。また、圧縮値の表示方法は、上述した英数字以外にも、カタカナやひらがななどの表示でも実現できる。
【００２２】
圧縮値画面への遷移方法として外部入力手段の一つであるスイッチ３の押下を例に説明したが、別の外部入力手段である磁気抵抗素子等を用いた磁気スイッチや、フォトトランジスタ等を用いた光スイッチをスイッチングすることで遷移させても良い。これらの場合には、検針者が電子式電力計１に接触することなくスイッチ操作でき、高所や狭所に電子式電力量計１が取り付けられている場合にも検針作業を行いやすい。
【００２３】
なお、ここで言う磁気スイッチとは、ホール素子、ＭＲ素子を用い、磁石を近づけることで、ホール素子なら出力電圧が、ＭＲ素子ならインピーダンスが変化することを利用したスイッチである。また、光スイッチとは、フォトトランジスタ、フォトダイオードを用い、光を受けることで電流が流れることを利用したスイッチである。
【００２４】
圧縮される対象となる値は指示値（１０進数による電力量データ。）の他、計器の製造番号、設置される需要家の管理番号、計器の定格等を表す数値でも良い。このような電力量以外の圧縮値データ（識別番号圧縮値と総称する。）についても、上述した圧縮値画面上に、同時に表示するように構成することで、検針員は、より多くの情報を短時間で収集することが可能となる。
また、電力量データを示す圧縮値画面とは別に、異なるタイミングで液晶表示器２に、識別番号圧縮値を表示するように構成することも可能であることは言うまでもない。
【００２５】
なお、太陽光発電器などを備えた需要家などに対応する、より多数の電力量データを取り扱う必要がある電子式電力量計においては、電力量を示す圧縮値画面を複数画面に分けて、順次表示するように構成することも可能である。
【００２６】
実施の形態２．
図６は液晶表示器２に表示される画面のフローである。画面（ａ）〜（ｃ）は現在値画面、画面（ｄ）〜（ｆ）は確定値画面、画面（ｇ）は画面（ｄ）〜（ｆ）の確定値を圧縮して１画面に表示する圧縮値画面である。通常のフローにおいて、液晶表示器２に表示される画面の遷移は、（ａ）→（ｂ）→（ｃ）→（ｄ）→（ｅ）→（ｆ）→（ｇ）→（ａ）であり、常時、圧縮値画面（ｇ）をサイクリックして表示する。
【００２７】
このように構成された電子式電力量計１においては、複数の画面に表示される１０進数の確定値を６２進数に圧縮することで、１つの画面に表示することができる。このため、圧縮値画面（ｇ）一画面を確認することで、複数の通常画面に表示される指示値を一度に読み取ることができる。
【００２８】
なお、この実施の形態２においても、例えばスイッチ３を操作することで、通常フローの終了を待たずに、直ちに圧縮値画面（ｇ）を表示できるように、つまり、圧縮値画面（ｇ）からサイクリック表示されるように構成することで、検針員による検針作業をより短時間で行うことが可能となることは言うまでもない。
【００２９】
実施の形態３．
図７は複数の画面の表示データおよび計器内に格納されている他のデータを圧縮して表示した時の液晶表示器２の圧縮値画面（ｇ）である。図７において、液晶表示器２はドットマトリクス形の液晶表示器で構成され、複数の確定値画面の指示値（電力量データ。）は、例えばバーコード７１を用いて圧縮することで１画面に表示できる。
【００３０】
図８は、上述したような電子式電力量計１と組み合わせて用いられ、検針員によって携帯される可搬型データ収集装置８を示す正面図である。電子式電力量計１と、この可搬型データ収集装置８とによりデータ読取システムが構成される。電子式電力量計１のデータを読み取る場合、読み取りする人が可搬型データ収集装置８に内蔵もしくは外付けされるカメラ（入力手段の一つに相当する。）９により、電力量データなどの圧縮値であるバーコード７１の画像を取り込み、可搬型データ収集装置８に備えられたデコード手段（図示せず。）で、その圧縮値をデコードすることで、容易かつ短時間に電子式電力量計１の電力量データを読み取ることができる。
【００３１】
また、可搬型データ収集装置８は、符号化により圧縮された電力量データを、１０進数による表示として復号化する機能も備えている。さらに、可搬型データ収集装置８は、電力量データ等を１０進数に復号化した上で、その１０進数による数値を用いて帳票に出力する帳票出力手段（図示せず。）を備えており、検針員は、検針時に、その場で、需要家へ料金請求する際に用いる帳票を作成することができる。
【００３２】
なお、圧縮値画面（ｇ）が、実施の形態１や実施の形態２のように英数字により表示される場合、検針員が圧縮値を目視し、可搬型データ収集装置８に内蔵または外付けされる入力操作部（入力手段の一つである。例えば、入力キーなどによって構成される。）１０を操作して、直接、圧縮値データを入力する方法でも、電力量データの読み取りが可能となる。この場合は、カメラ９の機能を備えていなくても、データ収集が可能となる。
【００３３】
この可搬型データ収集装置８のフロント面には、図８に示すように、データ確認を容易にする表示部１１が設けられている。また、必要に応じて、各種データの入出力確認や、検針開始、終了等を確認するために、音声等による確認手段を設けても良く、また電力量データなどの情報を、外部の装置との間で通信するためのデータ通信手段を付加的に設けても良い。
【００３４】
実施の形態４．
上述の実施の形態３では、ドットマトリクス表示の液晶表示器２を用いる場合のデータ圧縮方法として、電力量等のデータをバーコード化する例を示したが、この実施の形態４では、セグメント表示の液晶表示器２を用いた、別のデータ圧縮方法について説明する。図９に、セグメント表示の液晶表示装置２の、一文字分のセグメント構成を示す。図９のセグメント構成では、１６セグメントで１文字分を構成するため、特定のセグメント２１を発光させるセグメント表示の組合せ（発光部分の組み合わせ。）は２５６通りあり、最大２５６進数として電力量等のデータを圧縮することができる。
【００３５】
このように、特定のセグメントを選択的に発光させることで、電力量データや識別番号等の他のデータを記号化し、圧縮値とすることができるため、上述した６２進数の場合よりも、さらに圧縮率が高くなり、限られた表示スペースで、より多くのデータを表示することが可能となる。
なお、このセグメント２１による表示の圧縮値は、バーコード７１の場合と同様に、撮像手段（カメラ等。）によって画像として可搬型データ収集装置８に取り込む方法で入力することが適当である。
【００３６】
実施の形態５．
図１０は、電子式電力量計１と可搬型データ収集装置８と、例えば電力会社の営業所などの制御管理部門に設置されるデータ処理装置１００で構成されるデータ読取システムを示すブロック図である。圧縮値の表示方法には、例えば、実施の形態３と同様にバーコード７１を使用するものとする。電子式電力量計１のデータを読み取る場合、読み取りする人が可搬型データ収集装置８に内蔵もしくは外付けされるカメラ９により、バーコード７１の画像を取り込む。（図１０中、圧縮値データの流れ３０に相当する。）
なお、圧縮値としては、バーコード７１に代えて、実施の形態４において示した、セグメント表示による圧縮値を用いてもよい。
【００３７】
また、電力量等の圧縮値がバーコード７１ではなく、英数字、ひらがな、カタカナ等によって表示される場合には、その圧縮値を検針員が目視し、その値をキー操作によって可搬型データ収集装置８に取り込むことも可能であることは言うまでもない。
【００３８】
バーコード７１の情報は、可搬型データ収集装置８に備えられる、電力量圧縮値を送受信するデータ通信手段（図示せず。）を用いて、営業所等に設置されるデータ処理装置１００へ有線または無線通信４０を介して送信される。
データ処理装置１００は、例えばモニターと操作用キーと、高速データ処理が可能な演算部を持つ装置により構成され、圧縮値をデコードするデコード手段を備えている。データ処理装置１００で圧縮値をデコードすることで、容易かつ短時間に、電力量データなどを読み取りすることができる。
なお、データ処理装置１００でデコードする場合は、可搬型データ収集装置８においてはデコード機能は必要がなく、その分、装置の軽量化が可能である。
【００３９】
実施の形態６．
上述の実施の形態５で示したように、データ処理装置１００でデコード処理を行う場合は、可搬型データ収集装置８にデコード機能を備える必要がないため、図１１のブロック図に示すように、可搬型データ収集装置８として、例えばカメラ付の携帯電話８１を代用することも可能である。この場合は、電子式電力量計１の読取装置として、上述の可搬型データ収集装置８のような専用の装置が不要となる。
【００４０】
なお、可搬型データ収集装置８に代えて携帯電話８１を利用する場合には、デコードした１０進数による電力量データを、データ処理装置１００から、検針員が携帯するプリンタ８２に、携帯電話８１を介するなどして取り込み、検針時に、その場で帳票作成を行うことも可能である。このように、携帯電話８１とプリンタ８２の組み合わせによって、直ちに帳票を需要家へ配布することができる。また、データ処理装置１００から、電子メール等を用いて、電子データとしての帳票データを需要家に通知するという方法も選択できる。
【００４１】
なお、圧縮値が、英数字、ひらがな、カタカナで表示されている場合、携帯電話８１に備えられた入力操作部（押しボタン式キーおよびジョイステックによる入力操作が可能な操作部。）を操作し、検針員が直接文字を入力することで、有線または無線通信４０にてデータ処理装置１００へ電力量圧縮値等のデータを送信することでも実現できる。この場合には、携帯電話８１の電子メール機能も利用できる。
【００４２】
実施の形態７．
上述した実施の形態１および実施の形態２では、電子式電力量計１の表示が１０進数表示の通常画面と、６２進数表示の圧縮値画面とを切り替えて表示する場合について述べた。
現段階では、電力量計に関する取り決めがなされており、顧客による目視で電力量計の指示値を確認可能なように、１０進数による表示を組み込むことが義務付けられている。しかし、将来的には、上述したような圧縮値画面のみを表示手段に常時表示するという表示方法を採用することで、検針員による検針作業をより端時間で速やかに実施することが可能となる。
【００４３】
なお、通常時には圧縮値画面を表示するようにし、スイッチ操作等により、１０進数表示による任意の時間帯の指示・確定値画面に遷移させるように構成することで、顧客による目視も可能とすることができる。
【００４４】
【発明の効果】
以上のように、この発明の電子式電力量計によれば、複数の計量時間帯毎に電力量を計量し、電力量データを得る計量手段、上記電力量データを符号化により圧縮し、電力量圧縮値を得る制御手段、上記電力量データを１０進数による数値で表示する通常画面と、上記電力量圧縮値を表示する圧縮値画面とを切り換え表示する表示手段を備えたため、圧縮値画面に通常画面より多くの電力量データを表示可能であり、圧縮値画面を確認することで、多くの電力量データを収集することができ、検針作業を効率化することが可能となる。
【００４５】
また、この発明の電子式電力量計によれば、複数の計量時間帯毎に電力量を計量し、電力量データを得る計量手段、上記電力量データを符号化により圧縮し、電力量圧縮値を得る制御手段、上記電力量圧縮値を表示する表示手段を備えたため、表示手段の限られたスペースに、電力量圧縮値を表示することで、圧縮されていない電力量データを表示する場合よりも多くの電力量データを表示することができ、検針作業を効率化することが可能となる。
【００４６】
さらに、この発明の可搬型データ収集装置によれば、上記のような電子式電力量計の検針に用いるものであり、上記電子式電力量計において得られる上記電力量圧縮値を入力する入力手段を備えたため、電力量圧縮値を用いた電子式電力量計のデータ読み取りに対応することが可能となり、より多くの電力量データを、電力量圧縮値の表示画面である圧縮値画面から取り込むことができる。
【００４７】
また、この発明のデータ処理装置によれば、上記のような可搬型データ収集装置から送信された上記電力量圧縮値を入力し、その電力量圧縮値をデコードするデコード手段を備えたため、可搬型データ収集装置のデコード機能を省略することで軽量化が可能となり、また、データ処理装置として、設置式の高速データ処理が可能な装置を利用することができるため、容易かつ短時間に電力量データなどを読み取りすることが可能となる。
【図面の簡単な説明】
【図１】この発明の実施の形態１による電子式電力量計を示す正面図である。
【図２】この発明の実施の形態１による電力量計表示画面のフロー図である。
【図３】この発明の実施の形態１による確定値画面の例を示す図である。
【図４】この発明の実施の形態１による圧縮値画面の例を示す図である。
【図５】この発明の実施の形態１による電力量指示値の１０進数表示、６２進数表示による変換例を示す図である。
【図６】この発明の実施の形態２による電力量計表示画面のフロー図である。
【図７】この発明の実施の形態３による電力量データをバーコード化して圧縮した圧縮値画面を示す図である。
【図８】この発明の実施の形態３による電力量圧縮値を、電子式電力量計から読み取る際に用いる可搬型データ収集装置の正面図である。
【図９】この発明の実施の形態４による電子式電力量計の液晶表示器のセグメント構成を示す図である。
【図１０】この発明の実施の形態５による、データ処理装置を含むデータ読取システムを示すブロック図である。
【図１１】この発明の実施の形態６による、携帯電話を用いたデータ読取システムを示すブロック図である。
【符号の説明】
１  電子式電力量計                    ２  液晶表示器
３  スイッチ                          ４  端子ブロック
５ｄ、５ｇ、６ｄ、６ｇ、７ｄ、７ｇ、１１  表示部
８  可搬型データ収集装置              ９  カメラ
１０  入力操作部                      ２１  セグメント
３０  圧縮値データの流れ              ４０  有線または無線通信
７１  バーコード                      ８１  携帯電話
８２  プリンタ                      １００  データ処理装置。
【図１】
2005003551.tif 000003
【図２】
2005003551.tif 000004
【図３】
2005003551.tif 000005
【図４】
2005003551.tif 000006
【図５】
2005003551.tif 000007
【図６】
2005003551.tif 000008
【図７】
2005003551.tif 000009
【図８】
2005003551.tif 000010
【図９】
2005003551.tif 000011
【図１０】
2005003551.tif 000012
【図１１】
2005003551.tif 000013